(57)【要約】【課題】複数の操作を行う必要がなく、しかも画面情報が整理されて表示される画像表示方法及び表示装置を提供すること。【解決手段】透光性の第１の表示部を通して、その後に所定間隔離して設けられた第２の表示部に表示された画像を表示する表示方法であって、前記第１の表示部には光を遮断するマスク部を有し、前記第１の表示部の前で所定の角度から見る視者に対して、前記マスク部により前記第２の表示部に表示された画像の一部を覆い隠して表示する画像表示方法。【選択図】  図１
2004219677.tif 000002
【特許請求の範囲】
【請求項１】
透光性の第１の表示部を通して、その後に所定間隔離して設けられた第２の表示部に表示された画像を表示する表示方法であって、
前記第１の表示部には光を遮断するマスク部を有し、前記第１の表示部の前で所定の角度から見る視者に対して、前記マスク部により前記第２の表示部に表示された画像の一部を覆い隠して表示することを特徴とする画像表示方法。
【請求項２】
透光性の第１の表示部を通して、その後に所定間隔離して設けられた第２の表示部に表示された画像を表示する表示方法であって、
前記第１の表示部には光を遮断するマスク部を有し、前記第１の表示部の前で所定角度から見る視者に対して、前記マスク部により前記第２の表示部に表示された画像の一部を覆い隠すと共に、前記第１の表示部に表示された画像と前記第２の表示部に表示された画像の関係により合成画像を表示することを特徴とする画像表示方法。
【請求項３】
前記所定角度は、高さ方向の異なる角度であることを特徴とする請求項２記載の画像表示方法。
【請求項４】
前記所定角度は、左右方向の異なる角度であることを特徴とする請求項２記載の画像表示方法。
【請求項５】
透光性の第１の表示部を通して、その後に所定間隔離して設けられた第２の表示部に表示された画像を表示する表示方法であって、
前記第１の表示部には光を遮断するマスク部を有し、前記第１の表示部の前で所定の角度から見る視者に対して、前記マスク部により前記第２の表示部に表示された画像の一部を覆い隠すと共に、前記第１の表示部に表示された画像と前記第２の画像の関係により合成画像を表示することを特徴とする画像表示方法。
【請求項６】
一部に光を遮断するマスク部を有する透光性の第１の表示部と、
この第１の表示部の後に所定間隔離して設けられた第２の表示部を有する画像表示装置であって、
前記第１の表示部の前で所定の角度から見る視者に対して、前記マスク部により前記第２の表示部に表示された画像の一部を覆い隠す位置に前記マスク部が設けられて成ることを特徴とする画像表示装置。
【請求項７】
一部に光を遮断するマスク部を有する透光性の第１の表示部と、
この第１の表示部の後に所定間隔離して設けられた第２の表示部を有する画像表示装置であって、
前記第１の表示部の前で所定の角度から見る視者に対して、前記マスク部により前記第２の表示部に表示された画像の一部を覆い隠す位置に前記マスク部が設けられると共に、前記第１の表示部に表示された画像と前記第２の画像の関係により合成画像を表示するように前記第１の表示部及び前記第２の表示部の画像が表示されることを特徴とする画像表示装置。
【請求項８】
前記マスク部は、大人用の表示を行う大人用マスク部と子供用の表示を行う子供用マスク部とから成り、前記第２の表示部には大人用金額の表示と子供用金額の表示が表示され、
前記視者が背の高い大人であるとき、前記大人用マスク部が前記子供用金額の表示を覆い隠し、前記視者が背の低い子供であるとき、前記子供用マスク部が前記大人用金額の表示を覆い隠すように、前記マスク部が設けられることを特徴とする請求項７記載の画像表示装置。
【請求項９】
前記マスク部には、誘導する場所の名称が表示され、
前記第２の表示部には、前記画像表示装置を左側から見る視者と右側から見る視者に対して前記名称の場所が反対方向にあるように、左方向を示す左記号と右方向を示す右記号が表示されることを特徴とする請求項７記載の画像表示装置。
【発明の詳細な説明】
【０００１】
【発明の属する技術分野】
本発明は、複数の表示部を重畳した構造を有する多重表示装置の画像表示方法などに関する。
【０００２】
【従来の技術】
従来、鉄道の駅の切符販売機などにおいて、複数の行き先や大人と子供の料金の設定等があり、選択項目が多数ある場合、情報が多数あるゆえにどの項目を選択するのが良いのか、判断が難しいことが、しばしばあった。
【０００３】
このように、選択項目が多い場合の階層構造の情報提供方式として、最初に路線を選択し、その後、金額を選択させるなどとすることがあるが、選択が複数となり、一度の選択で切符の購入が出来ないため、短時間で切符を購入したい利用者にとっては、利便性が劣る問題点があった。
【０００４】
また、街頭などに、ビルの壁面に設けられる様な大型ディスプレイを用いた表示装置においては、同一の情報を個々の人が得ることが出来るのみで、見る方向や人が通る方向によって、得られる情報を変化させることは出来ない問題があった。このため、大型ディスプレイなどに駐車場の空き情報の表示を行った場合、空いている駐車場の表示がされると、同一方向に全ての車が向かい、この結果、渋滞や混雑が生じるなどの問題があった。
【０００５】
また、１画面に複数の画面表示をする場合は、一画面に複数の画面を重ね合わせ、画面の切り替え、表示順番を変更するものも知られている（特許文献１，２参照）。
【０００６】
しかし、このように１画面に複数の情報を重ねて表示すると、使用者には表示されている情報が一体となって見えてしまい、理解し難いという問題があった。さらに、１画面を分割して複数の画面情報を表示した場合は、個々の画面情報スペースが小さくなり、情報量が多い場合には全てを見ることができず、全体を見るためにこの画面情報においてスクロール等の操作が必要となり、視認性・操作性が悪化するという問題があった。
【０００７】
なお、液晶表示体を複数個、重畳して構成した多層構造の液晶表示装置および画像表示方法は知られている（特許文献３）。しかし、この装置および画像表示方法は、複雑な情報を見易く表示する方式を提供するものではない。
【０００８】
【特許文献１】
・特開平８−４４５２２
【０００９】
【特許文献２】
・特開平７−２７０１７２
【００１０】
【特許文献３】
・特表２００２−５０４７６４
【００１１】
【発明が解決しようとする課題】
上記のように、多くの情報を表示する従来の表示装置では、複数の操作を行う必要があったり、また、表示されている画面情報を整理して提供することが難しいという問題があった。本発明は、このような従来の表示装置の問題点に鑑みてなされたもので、複数の操作を行う必要がなく、しかも画面情報が整理されて表示される画像表示方法及び表示装置を提供することを目的とする。
【００１２】
【課題を解決するための手段】
上記目的を達成するために、本発明の請求項１によれば、透光性の第１の表示部を通して、その後に所定間隔離して設けられた第２の表示部に表示された画像を表示する表示方法であって、前記第１の表示部には光を遮断するマスク部を有し、前記第１の表示部の前で所定の角度から見る視者に対して、前記マスク部により前記第２の表示部に表示された画像の一部を覆い隠して表示することを特徴とする画像表示方法を提供する。
【００１３】
本発明の請求項２によれば、透光性の第１の表示部を通して、その後に所定間隔離して設けられた第２の表示部に表示された画像を表示する表示方法であって、前記第１の表示部には光を遮断するマスク部を有し、前記第１の表示部の前で所定角度から見る視者に対して、前記マスク部により前記第２の表示部に表示された画像の一部を覆い隠すと共に、前記第１の表示部に表示された画像と前記第２の表示部に表示された画像の関係により合成画像を表示することを特徴とする画像表示方法を提供する。
【００１４】
本発明の請求項５によれば、透光性の第１の表示部を通して、その後に所定間隔離して設けられた第２の表示部に表示された画像を表示する表示方法であって、前記第１の表示部には光を遮断するマスク部を有し、前記第１の表示部の前で所定の角度から見る視者に対して、前記マスク部により前記第２の表示部に表示された画像の一部を覆い隠すと共に、前記第１の表示部に表示された画像と前記第２の画像の関係により合成画像を表示することを特徴とする画像表示方法を提供する。
【００１５】
本発明の請求項６によれば、一部に光を遮断するマスク部を有する透光性の第１の表示部と、この第１の表示部の後に所定間隔離して設けられた第２の表示部を有する画像表示装置であって、前記第１の表示部の前で所定の角度から見る視者に対して、前記マスク部により前記第２の表示部に表示された画像の一部を覆い隠す位置に前記マスク部が設けられて成ることを特徴とする画像表示装置を提供する。
【００１６】
本発明の請求項７によれば、一部に光を遮断するマスク部を有する透光性の第１の表示部と、この第１の表示部の後に所定間隔離して設けられた第２の表示部を有する画像表示装置であって、前記第１の表示部の前で所定の角度から見る視者に対して、前記マスク部により前記第２の表示部に表示された画像の一部を覆い隠す位置に前記マスク部が設けられると共に、前記第１の表示部に表示された画像と前記第２の画像の関係により合成画像を表示するように前記第１の表示部及び前記第２の表示部の画像が表示されることを特徴とする画像表示装置を提供する。
【００１７】
【発明の実施の形態】
以下、本発明の各実施形態について図面を用いて説明する。
【００１８】
図１に本発明による画像表示装置の一実施形態の構造を示す。同図に示すように、この多重表示装置１の表示ユニット２０では、液晶により構成された後画面の表示手段２１ａと、透光式液晶により構成され表示手段２１ａの前面に設置された前画面の表示手段２２ａとが、所定間隔、離して設置される。さらに、前画面表示手段２２ａの表面には、入力手段２３として利用者が操作を画面上のシンボルにタッチすることで操作を行うことが可能となる例えばタッチパネルが設置され、これらを一体形式の構成として、表示ユニット２０が構成されている。
【００１９】
多重表示装置１は、上述の構成を有する表示ユニット２０と、この表示ユニット２０を制御する制御手段１１と、この制御手段１１が接続される母線１５と、この母線に各々接続されるプログラム記憶手段１２、情報記憶手段１３、抽出手段１４及び表示制御手段１６とから成る。
【００２０】
表示ユニット２０の後画面の表示手段２１ａは、通常用いられる液晶表示装置である。この表示手段２１の前面に、透光式の表示手段２２ａを所定間隔、離して重畳して設置している。これにより、後画面に表示された画像と、前画面に表示された画像は、同一画像の様に利用者に対して提供される。利用者はタッチパネルである入力手段２３を操作することにより、制御手段１１に対して情報を入力することが可能となる。
【００２１】
表示ユニット２０に表示される情報は情報記憶手段１３に記憶保存されており、例えば駅の切符販売機の場合には、路線情報や、大人、子供の料金情報等が保存される。抽出手段１４は制御手段１１から出力された信号を受け、該当する情報を情報記憶手段１３から抽出する。このように抽出された情報は表示制御手段１６に伝達される。
【００２２】
表示制御手段１６は、抽出手段により抽出された情報を、表示手段２１ａ、２２ａの各表示部に区分けして表示を行うものであり、このため表示手段の座標情報に合わせて画像情報を制御する。プログラム記憶手段１２には、上で述べた各動作を制御手段１１に実行させるためのプログラムが保存されており、これにより制御手段１１を動作させる。
【００２３】
図２は図１の表示ユニット２０に表示される画面の拡大図である。前画面２２と後画面２１の内容を並べて記載しているが、これらは重畳されて配置されるものである。後画面２１には、例えば大人用金額３５、子供用金額３６が表示される。
【００２４】
また、前画面２２の表示手段２２ａは透光式液晶表示装置で構成されており、この画面の上部には大人用表示エリア３２が設けられ、この下部には子供用表示エリア３３が区別して設けられている。さらに、画面に付属した入力手段２３の選択エリアとして、大人用表示エリア３２の上方に大人用タッチエリア３１が設けられ、子供用表示エリア３３の下方に子供用タッチエリア３４が設定されている。
【００２５】
利用者は、透光式液晶表示装置である前画面２２を通して、後画面２１に表示された大人用金額３５や、子供用金額３６を読み取り、前画面２２のタッチエリア３１、３４を選択する。これによって大人や子供は希望する料金の選択を行うことが出来る。さらに、前画面２２には、各画面上に表示される表示情報の位置切替の選択を可能とした入力ボタン３７を設けられている。このボタンは、大人でも車椅子などを使用している場合は、視線が低くなることもある。こうした利用者が使用する場合、大人と子供の表示位置を上下で入れ替えを行うものである。これにより、大人でも視線の低い人や、逆に子供でも視線の高い場合の対応が可能となる。
【００２６】
図３に、図１の表示ユニット２０を斜め側面方向から見た構成図を示す。大人の場合には子供と比較して視線が高いので、大人の視線４０のラインにより前画面２２、後画面２１に表示された情報を読み取るものとなる。前画面２２には大人用表示エリア３２と、大人用タッチエリア３１が設けられており、大人の視線は前画面２２を通し、後画面２１の大人用金額３５を読取り、前画面２２の当該料金表示と同一の視線位置に配置された大人用タッチエリア３１に例えば手でタッチして料金の選択を行う。この際、後画面２１に表示されている子供用金額３６の情報は、前画面２２にある子供用表示エリア３３により視線が遮られ、大人の視線４０からは読取れない。したがって、大人の視線４０としては大人の情報に限定して提供される。
【００２７】
一方、子供の場合は大人の場合とは逆に、大人に比較して低い視線であるので、子供の視線４１により前画面２２を通し、後画面２１の子供用金額３６を読取ることができる。したがって、子供は前画面２２の当該料金表示と同一の視線位置に配置された子供用タッチエリア３４にタッチして、料金の選択を行う。この際、後画面２１の大人用金額３５の情報は、前画面２２の大人用表示エリア３２によって遮られ、子供の視線４１からは読取れない。このように、通常、背が高く目線が高い位置にある大人は大人用タッチエリア３１を通して大人用金額３５の買いたい金額を選択して大人用切符を買うことができ、一方、通常、背が低く目線が低い位置にある子供は、子供用タッチエリア３４を通して子供用金額３６の買いたい金額の位置を見て選択し、子供用切符を買うことができる。
【００２８】
しかし、背が低い大人や背の高い子供もいるので、前画面２２の下方右下部分に、位置切替ボタン３７が設けられる。図４は、図１に示した表示ユニット２０において、位置切替機能を使用した場合の構成図である。大人用と子供用の表示エリアの設定は、前画面２２に設けた位置切替ボタン３７の操作により、上下の位置を入れ替えて表示することを可能としている。
【００２９】
これによって、車椅子などを使用した大人が操作する場合などで、視線が低い大人については、視線を低くして表示することで、大人用の情報が読取れない事象の対応が可能である。背の高い子供は大人の目線で、子供用の金額の切符を買うことが可能となる。
【００３０】
次に、多重液晶表示装置の使用時の動作について図１〜図５を基に説明する。図５は操作フローを示したフローチャートである。
【００３１】
スタート（Ｆ−１）すると、まず図３に示す様な前画面及び後画面が表示される（Ｆ−２）。通常の場合、そのままの状態で、大人は上の視線４０、子供は下の視線４１方向から、前画面２２上の大人用タッチエリア３１、子供用タッチエリア３４を選択（Ｆ−３）する。この結果、希望する切符の選択が可能となる。
【００３２】
次に前画面２２の位置切替ボタン３７を押すことにより操作（Ｆ−４）を行った場合、上述のような画面位置の切替処理が実行される（Ｆ−５）。これにより、前画面２２、後画面２１の情報が変更され、図４に示す表示状態となる。
【００３３】
この状態からタッチパネルの「選択」操作（Ｆ−６）を行って、希望する切符の選択を行う。選択操作後は、次の利用者が利用するために、画面状態を通常の状態に切替処理が行われる（Ｆ−９）。また、選択操作を行わず、位置切替ボタン３７を再度操作（Ｆ−７）することで、図３の通常状態に戻る操作も可能である。
【００３４】
さらに、位置切替ボタン３７を操作した後に何も操作しない場合は、タイマー作動（Ｆ−８）により、予め設定された時間を経過すると画面位置切替処理が作動（Ｆ−９）し、図３の通常状態に戻る。
【００３５】
本発明の上記実施形態によれば、通常は切替操作を行うことなく、大人は大人用の料金を示す画面を見て大人用の切符を買うことができ、子供は子供用の料金を示す画面を見て子供用の切符を買うことが可能となる利点がある。しかも、大人が切符を買うときには子供用の料金は見えず、子供が切符を買うときには大人用の料金は見えないので、利用者が不要な表示により、惑わされるようなことがない利点もある。
【００３６】
さらに、上記実施形態では、前画面の下部に料金の切替ボタンが設けられているので、背の低い大人や背の高い子供の場合にも、このボタンを押すことにより、所望の大人用あるいは子供用の料金を表示させ、欲しい金額の切符を選択して買うことが可能となる。
【００３７】
勿論上記実施形態のように切符だけでなく、この発明は、背の高さにより金額が異なる料金体系となるものを発行する装置に適用できる。
【００３８】
ところで、上述の実施形態は、本発明を、切符などの販売装置など上下の視差を利用した装置に適用した場合について説明した。しかし、本発明はこのように上下の視差だけでなく左右の視差を利用する場合にも適用することが可能である。
【００３９】
本発明をこのような左右の視差を利用して表示を行う場合の、本発明の他の実施形態について、次に説明する。この実施形態は、左、右あるいは正面から来る人各々に、駐車場のある方向を異なる方向に誘導する実施形態の例である。
【００４０】
図６は所定間隔離して設けられた前画面表示部４８と後画面表示部４９から成る表示ユニットを左右方向から見た場合に、見る方向により視認状況が変化する状況を示した構成図である。
【００４１】
図６（ａ）において、前画面表示部４８には駐車場５０が表示がされ、この表示される部分以外は透光性となっていてその後に配設されている後画面表示部４９が見える。後画面表示部４９は、画像を表示できるものであればよく、この後画面表示部４９に、左方向を示す矢印５１と右方向を示す矢印５２が所定間隔おいて表示される。
【００４２】
この表示装置を前の方向から見た場合、次のようになる。左方向からの視線では、駐車場５０が矢印５１の方向にあることが確認され、図６（ｂ）の視認状況が得られる。これにより、この表示ユニットを左方向から見た人は５１の矢印の方向に向かうこととなる。
【００４３】
一方、右方向からの視線では、駐車場５０が矢印５２の方向にあると確認され、図６（ｃ）の視認状況が得られる。これにより、表示ユニットを右方向から見た人は、矢印５２の方向に向かうこととなる。
【００４４】
さらに、表示ユニットを正面方向から見た人は、矢印５１、矢印５２により、駐車場５０が左右の方向にあると認識され、図６（ｄ）の視認状況が得られる。これにより、駐車場に行きたい正面から見た人は、矢印５１、矢印５２の両方の方向、即ち左あるいは右方向に向かうこととなる。
【００４５】
このように、同一画像情報を前画面２２、後画面２１に表示した場合においても、見る方向により、異なる画像情報を与えることが容易に可能となる。
【００４６】
本発明のこの実施形態によれば、なんらの切替装置を用いることなく、左から来た人、右から来た人、正面から来た人それぞれに、行くべき方向を別々に示すことができる効果がある。
【００４７】
この実施形態では、前画面表示部も後画面表示部も固定の表示を行えばよく、前画面表示部の駐車場５０が表示されている部分以外が光を通すこと以外、どのような表示装置であってもよい。後画面は、例えば普通用いられるような、ガイド用の矢印であってよい。
【００４８】
なお、この実施形態において、液晶表示装置など電気的に表示対象を容易に変えることが可能なものを前画面表示装置、後画面表示装置として用いれば、電気的に表示する対象を変えることができる。例えば前画面表示部４８の「駐車場」の表示を時間によって他のものに変えることが可能である。
【００４９】
勿論、この前画面表示装置の駐車場の表示は他の場所の表示であってもよい。
【００５０】
なお、上記実施形態では、上下方向の視差、左右方向の視差を利用して異なる表示を行う場合について説明した。しかし本発明は、これら上下左右の場合に限られず、一般的には表示装置に対する異なる方向の視差を利用して、異なる表示を行う場合に適用でき、この技術的思想の範囲内における態様は本発明に含まれる。
【００５１】
【発明の効果】
以上説明したように、本発明によれば、複数の操作を行う必要がなく、しかも画面情報が整理されて表示される画像表示方法及び表示装置が得られる効果がある。
【図面の簡単な説明】
【図１】本発明一実施形態の構成を示す図。
【図２】本発明一実施形態の前画面と後画面の表示内容を説明するための図。
【図３】本発明一実施形態の動作を説明するための図。
【図４】本発明一実施形態の切替ボタンを押したときの動作を説明するための図。
【図５】本発明一実施形態の動作を説明するためのフローチャートを示す図。
【図６】本発明の他の実施形態の動作を説明するための図。
【符号の説明】
１・・・多重表示装置、１１・・・制御手段、１２・・・プログラム記憶手段、１３・・・情報記憶手段、１４・・・抽出手段、１５・・・母線、１６・・・表示制御手段、２０・・・表示ユニット、２１ａ，２２ａ・・・表示手段、２１・・・後画面、２２・・・前画面、２３・・・入力手段、３１・・・大人用タッチエリア、３２・・・大人用表示エリア，３３・・・子供用表示エリア、３４・・・子供用タッチエリア、３５・・・大人用金額、３６・・・子供用金額、３７・・・位置切替ボタン、４８・・・前画面表示部、４９・・・後画面表示部。
【図１】
2004219677.tif 000003
【図２】
2004219677.tif 000004
【図３】
2004219677.tif 000005
【図４】
2004219677.tif 000006
【図５】
2004219677.tif 000007
【図６】
2004219677.tif 000008